(57)【要約】【課題】各ディスプレイが温度変化等により接触してディスプレイ筐体に歪が生じた場合であっても、ディスプレイの表示画面の画質劣化を低減する、表示装置、表示方法、および表示プログラムを提供する。【解決手段】表示装置は、複数のディスプレイと、複数のディスプレイの中で隣接して配置されたディスプレイ同士の接触を検知する接触検知部と、接触検知部が接触を検知した場合に、ディスプレイの表示状態を変更する表示状態変更部とを備える。【選択図】図１０
2016206435.tif 000002
【特許請求の範囲】
【請求項１】
複数のディスプレイと、
前記複数のディスプレイの中で隣接して配置されたディスプレイ同士の接触を検知する接触検知部と、
前記接触検知部が前記接触を検知した場合に、前記ディスプレイの表示状態を変更する表示状態変更部と
を備えた、表示装置。
【請求項２】
前記表示状態変更部は、前記接触が検知されたディスプレイに出力する画像の中の最高輝度に基づき、ディスプレイ画面全体の画像の輝度を調整する、請求項１に記載の表示装置。
【請求項３】
前記表示状態変更部は、前記接触検知部が前記接触を検知した場合に、所定のディスプレイのバックライトの輝度を調整する、請求項１又は２に記載の表示装置。
【請求項４】
前記表示状態変更部は、前記接触が検知された所定のディスプレイについて、前記表示状態を変更する請求項１から３のいずれか１項に記載の表示装置。
【請求項５】
前記表示状態変更部は、前記複数のディスプレイの全てについて、前記表示状態を変更する請求項１から４のいずれか１項に記載の表示装置。
【請求項６】
前記表示状態変更部が前記表示状態を変更場合に、情報を報知する報知手段をさらに備える、請求項１から５のいずれか１項に記載の表示装置。
【請求項７】
入力された画像の階調が低階調であるか否かを判定する階調判定部をさらに備え、
前記表示状態変更部は、前記接触検知部が前記接触を検知した場合において前記階調判定部が低階調であると判定したときに、前記接触が検知されたディスプレイに出力する画像の輝度に基づき、ディスプレイ画面全体の画像の輝度を調整する、請求項１から６のいずれか１項に記載の表示装置。
【請求項８】
複数のディスプレイの中で隣接して配置されたディスプレイ同士の接触を検知する接触検知ステップと、
前記接触検知ステップにおいて前記接触が検知された場合に、前記ディスプレイの表示状態を変更する表示状態変更ステップと
を含む、表示方法。
【請求項９】
複数のディスプレイの中で隣接して配置されたディスプレイ同士の接触を検知する接触検知処理と、
前記接触検知処理において前記接触が検知された場合に、前記ディスプレイの表示状態を変更する表示状態変更処理と
をコンピュータに実行させるための、表示プログラム。
【発明の詳細な説明】
【技術分野】
【０００１】
本発明は、表示装置、表示方法、および表示プログラムに関する。
【背景技術】
【０００２】
マルチディスプレイに表示する一定速度で移動する位置ずれ検出用画像を光センサで検出することにより、各ディスプレイの正規位置に対する位置ずれを検出する位置ずれ検出装置が知られている（例えば、特許文献１を参照）。
【先行技術文献】
【特許文献】
【０００３】
【特許文献１】特開２０１２−０７８７５３号公報
【発明の概要】
【発明が解決しようとする課題】
【０００４】
しかし、従来の装置は、各ディスプレイが温度変化等により接触してディスプレイ筐体に歪が生じると、ディスプレイの表示画面に光漏れや色ムラ（黒浮き）等の画質劣化が発生する場合があった。
【０００５】
本発明は、上記問題を解決するためになされたものであり、各ディスプレイが温度変化等により接触してディスプレイ筐体に歪が生じた場合であっても、ディスプレイに表示する表示画面の画質劣化を低減する、表示装置、表示方法、および表示プログラムを提供することを目的とする。
【課題を解決するための手段】
【０００６】
上記の課題を解決するため、本発明の一態様である表示装置は、複数のディスプレイと、前記複数のディスプレイの中で隣接して配置されたディスプレイ同士の接触を検知する接触検知部と、前記接触検知部が前記接触を検知した場合に、前記ディスプレイの表示状態を変更する表示状態変更部とを備える。
【０００７】
また、上記の課題を解決するため、本発明の一態様である表示方法は、複数のディスプレイの中で隣接して配置されたディスプレイ同士の接触を検知する接触検知ステップと、前記接触検知ステップにおいて前記接触が検知された場合に、前記ディスプレイの表示状態を変更する表示状態変更ステップとを含む。
【０００８】
また、上記の課題を解決するため、本発明の一態様である表示プログラムは、複数のディスプレイの中で隣接して配置されたディスプレイ同士の接触を検知する接触検知処理と、前記接触検知処理において前記接触が検知された場合に、前記ディスプレイの表示状態を変更する表示状態変更処理とをコンピュータに実行させる。
【発明の効果】
【０００９】
本発明によれば、各ディスプレイが温度変化等により接触してディスプレイ筐体に歪が生じた場合であっても、ディスプレイの表示画面の画質劣化を低減する、表示装置、表示方法、および表示プログラムを提供することができる。
【図面の簡単な説明】
【００１０】
【図１】本発明の一実施形態である表示装置の構成を例示するブロック図である。
【図２】複数のディスプレイの配置を例示する図である。
【図３】表示制御装置の第１の動作を例示すフローチャートである。
【図４】表示制御装置の第２の動作を例示すフローチャートである。
【図５】ディスプレイ同士が接触して画質劣化が発生していることを示す図である。
【図６】接触が検知された所定のディスプレイの、ディスプレイ画面全体の画像の輝度の調整を説明する図である。
【図７】複数のディスプレイの全てについてのディスプレイ画面全体の画像の輝度の調整を説明する図である。
【図８】接触が検知された所定のディスプレイのバックライトの輝度の調整を説明する図である。
【図９】複数のディスプレイの全てについてのバックライトの輝度の調整を説明する図である。
【図１０】本発明の他の実施形態である表示装置の構成を例示するブロック図である。
【図１１】表示制御装置の第１の動作の他の例を示すフローチャートである。
【発明を実施するための形態】
【００１１】
以下、本発明を実施するための形態について、図面を参照して詳細に説明する。
先ず、図１を用いて、表示装置の構成を説明する。図１は、本発明の一実施形態である表示装置の構成を例示するブロック図である。図１において、表示装置１は、表示制御装置１０、マルチディスプレイ２０、及び接触検知部３０を備える。
【００１２】
表示制御装置１０は、画像入力部１０１、画像処理部１０２、画像出力部１０３、接触判定部１０４、階調判定部１０５、画像輝度調整部１０６、ＢＬ輝度調整部１０７、注意表示部１０８、及び管理者通知部１０９を備える。
【００１３】
画像入力部１０１には、表示制御装置１０の外部から入力画像が入力される。入力画像は、静止画又は動画のいずれであってもよい。画像入力部１０１は入力される入力画像に対応したインターフェースを有するものとする。
【００１４】
画像処理部１０２は、画像入力部１０１から入力された入力画像に対して所定の画像処理を実行する。画像処理部１０２は、例えば、ＲＧＢ（Ｒｅｄ、Ｇｒｅｅｎ、Ｂｌｕｅ）信号で入力された入力画像に対してＬＵＴ（ＬｏｏｋＵｐ  Ｔａｂｌｅ）を用いて色温度の調整やガンマ補正を行う。本実施形態では、画像処理部１０２で処理された画像を表示するマルチディスプレイ２０は、複数のディスプレイを備える。画像処理部１０２は、マルチディスプレイ２０におけるディスプレイの配置に従い、出力画像を分割するようにしてもよい。
【００１５】
画像出力部１０３は、画像処理部１０２で処理された画像を、マルチディスプレイ２０に出力する。マルチディスプレイ２０は、複数のディスプレイを備え、画像出力部１０３は、マルチディスプレイ２０のそれぞれのディスプレイで表示される画像を出力する。
【００１６】
接触判定部１０４は、接触検知部３０で検知されたマルチディスプレイのディスプレイ同士の接触を判定する。ディスプレイ同士が接触すると、接触の応力により筐体及びガラス基板に歪が生じる。ガラス基板に歪が生じると、液晶層の厚み（セルギャップ）が変化し、液晶分子の配光状態が乱れて液晶セルの透過率にムラが生じる。液晶セルの透過率にムラが生じると、光漏れ（黒浮き）が発生して表示画像にムラが発生する。
【００１７】
接触検知部３０は、圧力によってＯＦＦ状態からＯＮ状態になるスイッチ（以下、「圧力スイッチ」という。）を使用することができる。圧力スイッチは、バネやゴム等の弾性体が応力によって変形するときに接点（スイッチ）が開閉するものを用いることができる。また、接触検知部３０は、圧力値を検出する検出センサ（以下、圧力センサ）を使用することができる。圧力センサとしては、例えば、ロードセルを用いることができる。ロードセルは、例えば、磁歪式ロードセル、静電容量式ロードセル、光学式ロードセル等を用いることができる。
【００１８】
先ず、接触検知部３０が圧力スイッチである場合を考える。接触判定部１０４は、隣接するどのディスプレイが接触したかを判定することができる。また、接触検知部３０が１つのディスプレイに複数配置されている場合、接触判定部１０４は、ディスプレイのどの位置に配置されている接触検知部３０がオン状態になったかを判定することにより、ディスプレイの筐体のどの位置に応力が生じているか（接触しているか）を判定することができる。すなわち、接触判定部１０４は、ディスプレイのガラス版のどの領域に歪が発生しているかを判定することができる。
【００１９】
一方、接触検知部３０が圧力センサである場合を考える。接触判定部１０４は、接触検知部３０が圧力スイッチである場合に加えて、接触による応力の大きさ（歪の大きさ）を判定することができる。接触判定部１０４は、接触検出素子で検出された接触力（接圧）に対して予め設定された接触力以上であるか否かを判断し、予め設定された接触力以上であるときにディスプレイ同士が接触していると判定するようにしてもよい。
【００２０】
階調判定部１０５は、画像出力部１０３から出力する出力画像の階調が低輝度か否かを判定する。光漏れによる表示画像の光漏れ（ムラ）は、出力画像が低階調である部分（シャドー部分）において目立つ。階調判定部１０５は、出力画像が、光漏れが目立つ低階調であるか否かを判定する。階調判定部１０５が判定対象とする出力画像の階調値は、接触判定部１０４で接触したと判定されたディスプレイに出力する出力画像の階調値である。接触判定部１０４は上記の通り、ディスプレイの画面全体の中で歪が大きい部分を判定することもできるため、階調判定部１０５は、接触判定部１０４で歪が大きいと判定された部分の出力画像の階調を判定するようにしてもよい。
【００２１】
なお、階調判定部１０５による階調値が低輝度であるか否かの判定方法は任意である。例えば、低輝度か否かを判断する階調値の閾値は任意に設定することがきる。例えば、階調値が０〜２５５の範囲である場合、階調値が５０以下のときに低輝度と判断する様にしてもよい。また、階調判定部１０５が判定する画素は、判定対象の出力画像の中の１点の画素であっても複数点の画素の平均値等であってもよい。また、階調判定部１０５は、例えば、判定対象の出力画像の最も輝度の高い画素、又は最も輝度の低い画素を判定の対象画素としてもよい。
【００２２】
本実施形態においては、ディスプレイの表示状態を画質劣化が軽減される表示状態に変更する一例として、画像輝度調整部１０６において、ディスプレイ画面全体の画像の輝度を調整する場合と、ＢＬ輝度調整部１０７において、ディスプレイのバックライトの輝度を調整する場合とを例示する。ディスプレイ画面全体の画像の輝度を調整することにより、またはディスプレイのバックライトの輝度を調整することにより、各ディスプレイが温度変化等により接触してディスプレイ筐体に歪が生じた場合であっても、ディスプレイの表示画面の画質劣化を低減することが可能となる。
【００２３】
画像輝度調整部１０６は、接触判定部１０４が接触していると判定しているディスプレイについて、階調判定部１０５が低階調であると判定した場合に、ディスプレイの表示状態を画質劣化が軽減される表示状態に変更する一例として、所定のディスプレイのディスプレイ画面全体の画像の輝度を調整する。本実施形態では、画像の輝度を調整する対象である「所定のディスプレイ」として、以下の、第１の実施形態におけるディスプレイを所定のディスプレイとする場合と、第２の実施形態におけるディスプレイを所定のディスプレイとする場合を例示する。
【００２４】
第１の実施形態において、「所定のディスプレイ」として、図６を用いて後述する、接触判定部１０４において、ディスプレイ同士が接触していると判定されているディスプレイを例示する。例えば、マルチディスプレイ２１がディスプレイ１〜９の９台のディスプレイを含み、その中でディスプレイ２、３、５及び６がお互いに接触していると判定された場合、所定のディスプレイは、ディスプレイ２、３、５及び６である。第１の実施形態において、画像輝度調整部１０６は、第１の実施形態においてディスプレイ２、３、５及び６に出力する画像の輝度を調整する。
画面全体の出力画像の輝度を調整することにより、表示画像が低階調であっても光漏れによるムラが目立たなくして、接触が検知されたディスプレイ（２、３、５及び６）に表示する表示画面の画質劣化を低減させることが可能となる。
【００２５】
また、第２の実施形態において、「所定のディスプレイ」として、図７を用いて後述する、マルチディスプレイ２１に含まれる全てのディスプレイを例示する。例えば、マルチディスプレイ２１がディスプレイ１〜９の９台のディスプレイを含む場合、所定のディスプレイは、ディスプレイ１〜９である。第２の実施形態において、画像輝度調整部１０６は、ディスプレイ１〜９に出力する画像の輝度を調整する。
画面全体の出力画像の輝度を調整することにより、表示画像が低階調であっても光漏れによるムラが目立たなくして、マルチディスプレイ２０全体に表示する表示画面の画質劣化を低減させることが可能となる。
【００２６】
第１の実施形態及び第２の実施形態において、画面全体の出力画像の輝度を調整するとは、ディスプレイに出力する画面全体の出力画像の輝度を調整することである。輝度の調整は、例えば、画面全体の出力画像の輝度を予め定められた固定値としても可変値としてもよい。また、画面全体の出力画像の輝度を同じ輝度値としても、変更前の値に対して一定の割合で増減する輝度値としてもよい。本実施形態では、図６の説明で後述するように、画面全体の出力画像の輝度を、そのディスプレイに出力される画像の中の最高輝度にする可変値として、画面全体を同じ輝度値としてその最高輝度値に設定する場合を例示する。
【００２７】
ＢＬ輝度調整部１０７は、接触判定部１０４が接触していると判定しているディスプレイについて、ディスプレイの表示状態を画質劣化が軽減される表示状態に変更する一例として、所定のディスプレイのバックライトの輝度を調整する。本実施形態では、画像の輝度を調整する対象である「所定のディスプレイ」として、以下の、第３の実施形態におけるディスプレイを所定のディスプレイとする場合と、第４の実施形態におけるディスプレイを所定のディスプレイとする場合を例示する。
【００２８】
第３の実施形態において、「所定のディスプレイ」として、図８を用いて後述する、接触判定部１０４において、ディスプレイ同士が接触していると判定されているディスプレイを例示する。第３の実施形態における「所定のディスプレイ」は、第１の実施形態における「所定のディスプレイ」と同様であるので説明を省略する。
ディスプレイのバックライトの輝度を調整することにより、表示画像が低階調であっても光漏れによるムラが目立たなくして、接触が検知されたディスプレイに表示する表示画面の画質劣化を低減させることが可能となる。
【００２９】
また、第４の実施形態において、「所定のディスプレイ」として、図９を用いて後述する、マルチディスプレイ２１に含まれる全てのディスプレイを例示する。第４の実施形態における「所定のディスプレイ」は、第２の実施形態における「所定のディスプレイ」と同様であるので説明を省略する。
ディスプレイのバックライトの輝度を調整することにより、表示画像が低階調であっても光漏れによるムラが目立たなくして、マルチディスプレイ２０全体に表示する表示画面の画質劣化を低減させることが可能となる。
【００３０】
第３の実施形態及び第４の実施形態において、ディスプレイのバックライトの輝度を調整するとは、ディスプレイ画面全体のバックライトの輝度を調整することである。輝度の調整は、例えば、画面全体のバックライトの輝度を一定値としてもよい。また、画面全体のバックライトの輝度を一定の割合で増減するようにしてもよい。本実施形態では、図８及び図９の説明で後述するように、画面全体のバックライトの輝度を調整する場合を例示する。なお、マルチディスプレイ２１全体を一つのディスプレイとして見た場合、第３の実施形態はローカルディミングを用いることにより実施することができる。また、第４の実施形態はグローバルディミングを用いることにより実施することができる。
【００３１】
注意表示部１０８及び管理者通知部１０９は、表示状態変更部として例示する画像輝度調整部１０６又はＢＬ輝度調整部１０７が表示状態を変更場合に、情報を報知する報知手段として例示する。
【００３２】
注意表示部１０８は、表示状態変更部が表示状態を変更したときに、マルチディスプレイ２０に注意表示を表示する。注意表示には、表示状態を変更した旨の表示、ユーザの注意又は警告を喚起する表示、使用継続の問い合わせの表示等を含んでいてもよい。注意表示部１０８は、マルチディスプレイ２０の表示画面に注意表示を行ってもよいし、マルチディスプレイ２０の警告ランプ等を点灯するようにしてもよい。
【００３３】
管理者通知部１０９は、表示状態変更部が表示状態を変更したときに、管理者に情報を通知する。情報の通知は、例えば表示装置１に接続された通信回線を介して行う。管理者に通知される情報は、例えば、接触を検知したディスプレイの情報、表示状態を変更した旨の情報等を含んでいてもよい。
【００３４】
マルチディスプレイ２０は、複数のディスプレイを隣接させて順次配置した、タイリングディスプレイである。マルチディスプレイ２０は、画像出力部１０３から出力される出力画像を表示する。複数のディスプレイは、例えばデイジーチェーン接続によって接続するようにしてもよい。
以上で、図１を用いた、表示装置１の構成の説明を終了する。
【００３５】
次に、図２を用いて、マルチディスプレイ２０に含まれる複数のディスプレイの配置と接触検知部３０について説明する。図２は、複数のディスプレイの配置を例示する図である。
図２において、マルチディスプレイ２０は、図示左上から順に、ディスプレイ２０１、ディスプレイ２０２、ディスプレイ２０３、及びディスプレイ２０４の４つのディスプレイを有する場合を例示する。
【００３６】
それぞれのディスプレイ（２０１〜２０４）には、その筐体の周囲に接触検知部（３０１〜３０４）を備える。例えば、ディスプレイ２０１は、上辺左側から順に、接触検知部３０１ａ、３０１ｂ、・・・３０１ｐを有する。同様に、ディスプレイ２０２は、接触検知部３０２ａ〜３０３ｐ、ディスプレイ２０３は、接触検知部３０３ａ〜３０３ｐを有し、さらに、ディスプレイ２０４は、接触検知部３０４ａ〜３０４ｐを有す。
【００３７】
それぞれの接触検知部は、隣接するディスプレイの筐体からの応力によってディスプレイ同士の接触を検知する。接触検知部は、上述の通り、ＯＮ／ＯＦＦを出力する圧力スイッチ、または圧力を測定する圧力センサを用いることができる。
【００３８】
例えば、ディスプレイ２０１の接触検知部３０１ｉ〜ｍは、ディスプレイ２０１と上下で隣接して配置されるディスプレイ２０３の接触検知部３０３ａ〜ｅと対向し、ディスプレイ２０１とディスプレイ２０３の接触は、対抗する接触検知部３０１ｉ〜ｍと接触検知部３０３ａ〜ｅによって検知することができる。ディスプレイ２０１とディスプレイ２０３が上下に均等に熱膨張した場合、接触検知部３０１ｉ〜ｍと接触検知部３０３ａ〜ｅはほぼ同じ応力で接触してディスプレイ２０１とディスプレイ２０３の接触を検知する。一方、ディスプレイ２０１とディスプレイ２０３が上下に不均等に熱膨張した場合、接触検知部３０１ｉ〜ｍと接触検知部３０３ａ〜ｅは不均衡な応力で接触してディスプレイ２０１とディスプレイ２０３の接触を検知する。例えば、図２図示右側における応力が左側の応力に比べて大きいときには、接触検知部３０１ｉと接触検知部３０３ｅが受ける応力は、接触検知部３０１ｍと接触検知部３０３ａが受ける応力に比べて大きくなる。図１で説明した接触判定部１０４は、それぞれの接触検知部の配置と検出された応力によって、隣接するディスプレイから受ける応力の分布を判定することができる。すなわち、接触判定部１０４は、ディスプレイの筐体の４辺から受ける応力に基づき、ディスプレイが受ける応力の画面全体内の分布を推定し、ディスプレイの画面上での光漏れのムラを判定することができる。
【００３９】
接触検知部３０１が圧力スイッチである場合、ディスプレイが受ける応力の画面全体内における分布の推定は、接触検知部３０１がオン状態である位置に基づき推定することができる。また、接触検知部３０１が圧力センサである場合、ディスプレイが受ける応力の画面全体内における分布の推定は、接触検知部３０１の配置位置と、それぞれの接触検知部３０１が検出する圧力値に基づき推定することができる。なお、本実施形態では、接触検知部３０１によってディスプレイ同士が接触したか否かを判定する場合を説明し、接触検知部３０１によって検知されたディスプレイ同士の接触に基づく応力の分布の使用については説明を省略する。
【００４０】
なお、図２は、１つのディスプレイに接触検知部が１６個配置される場合を図示しているが、接触検知部の数はこれに限定されない。また、図２では、隣接するディスプレイの接触検知部はお互いが接触するように配置する場合を例示しているが、接触検知部はお互いが接触しないように配置するようにしてもよい。また、隣接するディスプレイのいずれか一方のみに接触検知部を配置するようにしてもよい。また、接触検知部の形状は、図２に示す突起状以外に、シート状、又はテープ状であってもよい。
以上で、図２を用いた、マルチディスプレイ２０に含まれる複数のディスプレイと接触検知部の配置についての説明を終了する。
【００４１】
次に、図３を用いて、表示制御装置１０の第１の動作を説明する。第１の動作において、表示制御装置１０は、ディスプレイ同士の接触に基づき、出力画像の輝度を調整する。図３は、表示制御装置の第１の動作を例示すフローチャートである。
【００４２】
図３において、表示制御装置１０は、マルチディスプレイ２０におけるディスプレイ同士の接触があるか否かを判定する（ステップＳ１１）。ディスプレイ同士の接触があるか否かを判定は、接触検知部３０によって検出されたディスプレイに加わる応力を接触判定部１０４によって判定することにより行うことができる。ディスプレイ同士の接触がないと判定された場合（ステップＳ１１；ＮＯ）、表示制御装置１０は、出力画像の輝度を調整しない初期設定通りの通常設定処理を実行し（ステップＳ１６）、ステップＳ１１の処理を実行する。すなわち、ディスプレイ同士の接触の判定がされない場合、ステップＳ１１及びステップＳ１６の処理が繰り返し実行されることになる。
【００４３】
一方、ディスプレイ同士の接触があると判定された場合（ステップＳ１１；ＹＥＳ）、表示制御装置１０は、注意表示処理を実行する（ステップＳ１２）。注意表示処理は、注意表示部１０８によって実行することができる。注意表示は、所定のメッセージをマルチディスプレイ２０に表示することにより行うことができる。所定のメッセージは、例えば接触が検知されたディスプレイに表示する。また、所定の配置位置のディスプレイに表示するようにしてもよい。注意表示を行うことにより、表示装置１のユーザにディスプレイの異常を認識させて、使用中止、修理等の処置を促すことができる。
【００４４】
ステップＳ１２の処理を実行後、表示制御装置１０は、管理者通知処理を実行する（ステップＳ１３）。管理者通知処理は、表示装置１の管理者にディスプレイ同士の接触が検知された旨のメッセージを通知することにより行うことができる。管理者通知処理は、管理者通知部１０９によって実行することができる。管理者に通知を行うことにより、管理者に対して表示装置１の異常を報知することができる。管理者に通知するメッセージには、例えば、どのディスプレイが接触したか、接触検知部３０の検知結果等のディスプレイ同士の接触に関する情報に加えて、各ディスプレイの温度、使用時間等、他の情報を含めるようにしてもよい。また、表示装置１と管理者が通信回線で接続されている場合、管理者によって表示装置１の情報を収集する処理、管理者からの遠隔操作によって表示装置１の状態を変更する処理等を行うようにしてもよい。
【００４５】
なお、管理者に通知するメッセージの内容や表示装置１に関する情報等は、表示装置１内部の記録装置に記録するようにしておいてもよい。例えば、ディスプレイ同士が接触した履歴、表示装置１の利用状況等を記録しておくことができる。記録装置は、表示装置１への電源供給が停止された場合においても記録内容が消去されないものが望ましい。記録された情報は、ステップＳ１３の処理において併せて管理者に通知するようにしてもよい。
【００４６】
ステップＳ１３の処理を実行後、表示制御装置１０は、画像輝度調整処理を実行する（ステップＳ１４）。ステップＳ１４の画像輝度調整処理において、画像輝度調整部１０６は、ディスプレイに表示する出力画像の輝度を調整する。本実施形態では、１つのディスプレイ画面全体の出力画像の輝度を全体的に（全域）上げることにより、低階調時の輝度が一定値以上になるように調整する。ディスプレイ画面全体の出力画像の輝度を上げることにより、光漏れが発生する表示領域において黒表示等の低階調時に光漏れを目立たなくすることができ、ディスプレイの表示状態を画質劣化が軽減される表示状態とすることができる。
【００４７】
画像輝度調整部１０６は、前述の通り、第１の実施形態において接触が検知されたディスプレイに出力する画像の輝度を調整する。また、画像輝度調整部１０６は、第２の実施形態においてマルチディスプレイ２０に含まれる全てのディスプレイに出力する画像の輝度を調整する。ステップＳ１５の画像輝度調整処理を第１の実施形態で実行するか、又は第２の実施形態で実行されるかは、例えば予めいずれで実行するかを設定しておき、その設定に従って実行する様にすることができる。
【００４８】
なお、本実施形態ではステップＳ１５の画像輝度調整において、出力する輝度の調整として、ディスプレイ全体の画像の輝度を所定の値として調整する場合を説明したが、例えば、調整する輝度の値は、ディスプレイ毎に異なるようにしてもよい。また、調整する輝度の値は、同一のディスプレイの画面の位置（領域）毎に異なるようにしてもよい。すなわち、接触によって生じる光漏れの量は、ディスプレイに加わる応力によって異なるため、輝度の調整もディスプレイ毎に異なる輝度値で調整したり、画面上の位置毎に異なる輝度値で調整したりするようにしてもよい。
輝度値で調整する方法としては、例えば、ＬＵＴ（Ｌｏｏｋｕｐ  ｔａｂｌｅ）を用いることができる。ＬＵＴにガンマ補正のパラメータを記憶させておき、低輝度部分の階調を上げる処理を実施してもよい。また、接触検知部３０１の検出結果に基づき、接触による歪（ストレス）が大きい領域に対して輝度を上昇させるＬＵＴを適用するようにしてもよい。例えば、接触検知部３０１の検出結果に基づき、ディスプレイ画面の左上の歪が大きいと予想した場合、画面の左上の輝度を上げて光漏れを目立たないようにしてもよい。
以上で、図３を用いた、表示制御装置１０の第１の動作の説明を終了する。
【００４９】
次に、図４を用いて、表示制御装置１０の第２の動作を説明する。第２の動作において、表示制御装置１０は、ディスプレイ同士の接触に基づき、ディスプレイのバックライトの輝度を調整する。図４は、表示制御装置の第２の動作を例示すフローチャートである。
【００５０】
図４において、表示制御装置１０は、マルチディスプレイ２０におけるディスプレイ同士の接触があるか否かを判定する（ステップＳ２１）。ディスプレイ同士の接触があるか否かを判定は、図３において説明したステップＳ１１の処理と同様に、接触検知部３０によって検出されたディスプレイに加わる応力を接触判定部１０４によって判定することにより行うことができる。ディスプレイ同士の接触がないと判定された場合（ステップＳ２１；ＮＯ）、表示制御装置１０は、通常設定処理を実行し（ステップＳ２６）、ステップＳ２１の処理を実行する。
【００５１】
一方、ディスプレイ同士の接触があると判定された場合（ステップＳ２１；ＹＥＳ）、表示制御装置１０は、図３において説明したステップＳ１２及びステップＳ１３の処理と同様に、注意表示処理を実行し（ステップＳ２２）、さらに管理者通知処理を実行する（ステップＳ２３）。
【００５２】
ステップＳ２３の処理を実行後、表示制御装置１０は、バックライト（ＢＬ）輝度調整処理を実行する（ステップＳ２４）。ＢＬ輝度調整処理は、ＢＬ輝度調整部１０７によって実行することができる。ステップＳ２４のＢＬ輝度調整処理は、ディスプレイのバックライトの輝度を調整する。本実施形態では、１つのディスプレイ画面全体のバックライトの輝度が同じになるように調整する場合を説明する。なお、前述のとおり、ＢＬ輝度調整処理は、ディスプレイの表示状態を画質劣化が軽減される表示状態とする処理として例示するものである。
【００５３】
ＢＬ輝度調整部１０７は、前述の通り、第３の実施形態において接触が検知されたディスプレイのバックライトの輝度を調整する。また、ＢＬ輝度調整部１０７は、第４の実施形態においてマルチディスプレイ２０に含まれる全てのディスプレイのバックライトの輝度を調整する。ステップＳ２４のＢＬ輝度調整処理を、第３の実施形態で実行するか、又は第４の実施形態で実行されるかは、例えば予めいずれで実行するかを設定しておき、その設定に従って実行する様にすることができる。
【００５４】
なお、本実施形態ではステップＳ２４のＢＬ輝度調整において、バックライトの輝度の調整として、ディスプレイ全体のバックライトの輝度を所定の値として調整する場合を説明したが、例えば、調整する輝度の値は、ディスプレイ毎に異なるようにしてもよい。また、調整するバックライトの輝度の値は、同一のディスプレイの画面の位置（領域）毎に異なるようにしてもよい。すなわち、接触によって生じる光漏れの量は、ディスプレイに加わる応力によって異なるため、バックライトの輝度の調整もディスプレイ毎に異なる輝度値で調整したり、画面上の位置毎に異なるバックライトの輝度値で調整するようにしてもよい。
以上で、図４を用いた、表示制御装置１０の第２の動作を説明する。
【００５５】
次に、図５を用いて、ディスプレイ同士が接触して画質劣化が発生する様子を説明する。図５は、ディスプレイ同士が接触して画質劣化が発生していることを示す図である。
図５において、マルチディスプレイ２０の一例として示すマルチディスプレイ２１は、ディスプレイ２１１〜ディスプレイ２１９の９台のディスプレイを縦３×横３の配置でタイリングしている場合を示している。なお、図５においては、図２で説明した接触検知部３０の記載は省略している。
【００５６】
図５は、ディスプレイ２１２とディスプレイ２１３が、筐体の短辺（図示ａの部分）で接触していることを示している。また、ディスプレイ２１２とディスプレイ２１５が、筐体の長辺（図示ｂの部分）で接触していることを示している。また、ディスプレイ２１３とディスプレイ２１６が、筐体の長辺（図示ｃの部分）で接触していることを示している。さらに、ディスプレイ２１５とディスプレイ２１６が、筐体の短辺（図示ｄの部分）で接触していることを示している。すなわち、ディスプレイ２１２、ディスプレイ２１３、ディスプレイ２１５、及びディスプレイ２１６はお互いに隣接しているディスプレイと接触している。
【００５７】
ディスプレイ２１２は、ディスプレイ２１３と図５図示右端で接触するとともに、ディスプレイ２１５と図示下端で接触しているため、ディスプレイ２１２が隣接するディスプレイから受ける応力の中で、図示右下部分（図示Ａの部分）が受ける応力が一番大きくなる。同様にディスプレイ２１３、ディスプレイ２１５、及びディスプレイ２１６についても図５図示Ａの部分において隣接するディスプレイから受ける応力が一番大きくなる。
【００５８】
図５の、ディスプレイ２１２、ディスプレイ２１３、ディスプレイ２１５、及びディスプレイ２１６の画面に示したグラデーションは、隣接するディスプレイから受けた応力の大きさに応じて生じる光漏れの大きさを示している。Ａの部分に近い濃度の薄い部分は光漏れの量が大きいことを示している。一方、Ａの部分からの距離が大きくなる程、濃度が濃くなり光漏れの量が小さくなることを示している。すなわち、図５に示すグラデーションは、ディスプレイの光漏れによる表示される画質の劣化の分布を示している。
以上で、図５を用いた、ディスプレイ同士が接触して画質劣化が発生する様子の説明を終了する。
【００５９】
次に、図６を用いて、第１の実施形態における出力画像の輝度の調整を説明する。図６は、接触が検知された所定のディスプレイの、ディスプレイ画面全体の画像の輝度の調整を説明する図である。なお、図６〜図９におけるディスプレイの接触状況は、図５で説明した状況と同じであるものとする。すなわち、ディスプレイ２１２、ディスプレイ２１３、ディスプレイ２１５、及びディスプレイ２１６がそれぞれ接触しているものとする。
【００６０】
図６において、図１で説明した画像輝度調整部１０６は、接触が検知されたディスプレイ２１２、ディスプレイ２１３、ディスプレイ２１５、及びディスプレイ２１６へ出力する画像の輝度を調整していることを示している。ディスプレイ２１２、ディスプレイ２１３、ディスプレイ２１５、及びディスプレイ２１６の表示画面に表したハッチングは、ディスプレイ２１２、ディスプレイ２１３、ディスプレイ２１５、及びディスプレイ２１６に出力する画像の輝度が同じ輝度値（階調）で調整されていることを示している。出力画像の輝度値は、例えば輝度がディスプレイ２１２、ディスプレイ２１３、ディスプレイ２１５、及びディスプレイ２１６の中で最大の輝度値となる画素（又は領域）の輝度値に基づいて調整することができる。光漏れが発生する部分に表示される画像の輝度値の中で最大の輝度値で調整することにより、光漏れが目立たなくなる。また、表示される画像の輝度値の範囲内で調整することにより、必要以上の輝度値に調整することによる表示画像の違和感を低減することが可能となる。第１の実施形態では、接触が検知されたディスプレイについて輝度調整を行うので、光漏れの発生するディスプレイのムラを低減し、画質劣化を低減させることができる。
【００６１】
なお、本実施形態では、接触が検知された所定のディスプレイとして、接触が検知された、ディスプレイ２１２、ディスプレイ２１３、ディスプレイ２１５、及びディスプレイ２１６の全てについて輝度を調整する場合を説明したが、接触が検知された所定のディスプレイとして、接触が検知されたディスプレイの中のいくつかのディスプレイの輝度を調整するようにしてもよい。例えば、図５ではディスプレイ２１２、ディスプレイ２１３、ディスプレイ２１５、及びディスプレイ２１６が受ける応力に差異がある場合を説明しなかったが、実際のディスプレイにおいては発熱位置等によってディスプレイが受ける応力がそれぞれ異なる場合がある。そこで、接触が検知された所定のディスプレイとして、受ける応力が所定値以上のディスプレイのみを輝度調整するようにしてもよい。
【００６２】
また、本実施形態では、ディスプレイ２１２、ディスプレイ２１３、ディスプレイ２１５、及びディスプレイ２１６に表示する出力画像の輝度を同じ輝度値とする場合を説明したが、ディスプレイ毎に輝度値を変えて調整するようにしてもよい。例えば、ディスプレイ２１２に表示される出力画像の中で最大となる輝度に基づきディスプレイ２１２に表示される出力画像の輝度を調整するとともに、ディスプレイ２１３に表示される出力画像の中で最大となる輝度に基づきディスプレイ２１３に表示される出力画像の輝度を調整するようにしてもよい。また、調整する輝度値を出力画像の中で最大となる輝度に基づき調整する方法として、出力画像の瞬間的な輝度値に基づく方法、所定の時間内における瞬時値又は平均値に基づく方法を用いてもよい。さらに、所定の範囲内における輝度値の最高値又は平均値に基づき輝度値を調整するようにしてもよい。
以上で、図６を用いた。第１の実施形態における出力画像の輝度の調整の説明を終了する。
【００６３】
次に、図７を用いて、第２の実施形態における出力画像の輝度の調整を説明する。図７は、マルチディスプレイ２１に含まれる全てのディスプレイの、ディスプレイ画面全体の画像の輝度の調整を説明する図である。
【００６４】
図７において、図１で説明した画像輝度調整部１０６は、接触が検知されたディスプレイのみならず、マルチディスプレイ２１全体のディスプレイへ出力する画像の輝度を調整していることを示している。ディスプレイ２１１〜ディスプレイ２１９表示画面に表したハッチングは、図６で説明した第１の実施形態の説明と同様に出力画像の輝度が同じ輝度値（階調）で調整されていることを示している。出力画像の輝度値は、第１実施形態と同様に決定することができる。第２の実施形態においては、マルチディスプレイ２１全体の輝度を調整することができるので、接触によって光漏れを生じているディスプレイにおいて画質の劣化を軽減させることができるとともに、マルチディスプレイ２１全体として統一感のある画像を表示することができる。
【００６５】
なお、本実施形態では、全てのディスプレイ２１１〜ディスプレイ２１９に表示する出力画像の輝度を同じ輝度値とする場合を説明したが、ディスプレイ毎に輝度値を変えて調整するようにしてもよい。例えば、接触が検知されたディスプレイ２１２、ディスプレイ２１３、ディスプレイ２１５、及びディスプレイ２１６と、他のディスプレイと、調整する輝度を異なる値としてもよい。また、調整する輝度値を出力画像の中で最大となる輝度に基づき調整する方法として、第１の実施例と同様に、出力画像の瞬間的な輝度値に基づく方法、所定の時間内における瞬時値又は平均値に基づく方法を用いてもよい。さらに、所定の範囲内における輝度値の最高値又は平均値に基づき輝度値を調整するようにしてもよい。
以上で、図７を用いた。第１の実施形態における出力画像の輝度の調整の説明を終了する。
【００６６】
次に、図８を用いて、第３の実施形態におけるバックライトの輝度の調整を説明する。図８は、接触が検知された所定のディスプレイの、ディスプレイ画面全体のバックライトの輝度の調整を説明する図である。
【００６７】
図８において、図１で説明したＢＬ輝度調整部１０７は、接触が検知されたディスプレイ２１２、ディスプレイ２１３、ディスプレイ２１５、及びディスプレイ２１６のバックライトの輝度を調整していることを示している。ディスプレイ２１２、ディスプレイ２１３、ディスプレイ２１５、及びディスプレイ２１６の表示画面に表したハッチングは、ディスプレイ２１２、ディスプレイ２１３、ディスプレイ２１５、及びディスプレイ２１６のバックライトの輝度が同じ輝度値（階調）で調整されていることを示している。バックライトの輝度値は、予め設定された輝度値とすることができる。例えば、個々のディスプレイがバックライトを所定の輝度値に低減させるディミング制御が可能である場合、ディミング制御をオン状態とすることによりバックライトの輝度を調整することができる。バックライトの輝度値を下げることにより、光漏れが目立たなくなる。第３の実施形態では、接触が検知されたディスプレイについてバックライトの輝度調整を行うので、光漏れの発生するディスプレイのムラを低減し、画質劣化を低減させることができる。
【００６８】
なお、本実施形態では、接触が検知された所定のディスプレイとして、接触が検知された、ディスプレイ２１２、ディスプレイ２１３、ディスプレイ２１５、及びディスプレイ２１６の全てについて輝度を調整する場合を説明したが、第１の実施形態と同様に、接触が検知された所定のディスプレイとして、接触が検知されたディスプレイの中のいくつかのディスプレイのバックライトの輝度を調整するようにしてもよい。
【００６９】
また、本実施形態では、ディスプレイ２１２、ディスプレイ２１３、ディスプレイ２１５、及びディスプレイ２１６のバックライトの輝度を同じ輝度値とする場合を説明したが、ディスプレイ毎にバックライトの輝度値を変えて調整するようにしてもよい。例えば、ディミング制御を数段化のバックライトの輝度で行う場合、図５で説明したようにディスプレイが受ける応力に応じてバックライトの輝度を変えるようにしてもよい。
以上で、図８を用いた。第１の実施形態における出力画像の輝度の調整の説明を終了する。
【００７０】
次に、図９を用いて、第４の実施形態における出力画像の輝度の調整を説明する。図９は、マルチディスプレイ２１に含まれる全てのディスプレイの、ディスプレイ画面全体のバックライトの輝度の調整を説明する図である。
【００７１】
図９において、図１で説明したＢＬ輝度調整部１０７は、接触が検知されたディスプレイのみならず、マルチディスプレイ２１全体のディスプレイのバックライトの輝度を調整していることを示している。ディスプレイ２１１〜ディスプレイ２１９表示画面に表したハッチングは、図８で説明した第３の実施形態の説明と同様にバックライトの輝度が同じ輝度値（階調）で調整されていることを示している。バックライトの輝度値は、第３の実施形態と同様に決定することができる。第４の実施形態においては、マルチディスプレイ２１全体のバックライトの輝度を調整することができるので、接触によって光漏れを生じているディスプレイにおいて画質の劣化を軽減させることができるとともに、マルチディスプレイ２１全体として統一感のある画像を表示することができる。
【００７２】
なお、本実施形態では、全てのディスプレイ２１１〜ディスプレイ２１９のバックライトの輝度を同じ輝度値とする場合を説明したが、ディスプレイ毎にバックライトの輝度値を変えて調整するようにしてもよい。例えば、接触が検知されたディスプレイ２１２、ディスプレイ２１３、ディスプレイ２１５、及びディスプレイ２１６と、他のディスプレイとについて、調整するバックライトの輝度を異なる値としてもよい。
以上で、図９を用いた、第４の実施形態における出力画像の輝度の調整の説明を終了する。
【００７３】
次に、図１０を用いて、本発明の一実施形態である表示装置の最低限の構成を説明する。図１０は、本発明の一実施形態である表示装置の最低限の構成を例示するブロック図である。
図１０において、表示装置２は、複数のディスプレイ２１と、前記複数のディスプレイ２１の中で隣接して配置されたディスプレイ同士の接触を検知する接触検知部３１と、前記接触検知部３１が前記接触を検知した場合に、前記ディスプレイの表示状態を画質劣化が軽減される表示状態に変更する表示状態変更部１１とを備える。
以上で、図１０を用いた、表示装置の最低限の構成の説明を終了する。
【００７４】
次に、図１１を用いて、図３で説明した表示制御装置１０の第１の動作を他の例を説明する。図１１は、表示制御装置の第１の動作の他の例を例示すフローチャートである。
図１１と図３との相違点は、ステップＳ３４の処理のみであり、ステップＳ３１〜ステップＳ３３、ステップＳ３５、及びステップＳ３６は、図３におけるステップＳ１１〜ステップＳ１３、ステップＳ１４、及びステップＳ１５の処理と同一であるため、説明を省略する。
【００７５】
図１１において、ステップＳ３３の管理者通知処理を実行後、表示制御装置１０は、マルチディスプレイ２０に表示する出力画像が低階調であるか否かを判断する（ステップＳ３４）。出力画像が低階調であるか否かの判断は、階調判定部１０５によって行うことができる。上述のとおり、光漏れを生じているディスプレイにおいては、黒表示等の低階調の画像を表示するとムラが目立つ。階調判定部１０５は、ディスプレイ同士の接触があると判定されたディスプレイに出力する画像が低階調であるか否かを判定する。出力画像が低階調でないと判断した場合（ステップＳ３４；ＮＯ）、表示制御装置１０は、通常設定処理を実行する（ステップＳ３６）。すなわち、本実施形態においては、ディスプレイ同士の接触が検知された場合であっても、出力画像が低階調ではない場合には、出力画像の階調調整は行わない。
【００７６】
一方、出力画像が低階調であると判断した場合（ステップＳ３６；ＹＥＳ）、表示制御装置１０は、画像輝度調整処理を実行する（ステップＳ３５）。出力画像が低階調である場合にのみステップＳ３５の画像輝度調整処理を実行することにより、光漏れが目立つ出力画像が表示される場合にのみ輝度を調整することが可能となる。
以上で、図１１を用いた、表示制御装置１０の第１の動作の他の例の説明を終了する。
【００７７】
なお、上述した表示制御装置１０は、ディスプレイが接続可能なコンピュータで実現するようにしてもよい。その場合、各機能ブロックの機能を実現するためのプログラムをコンピュータ読み取り可能な記録媒体に記録して、この記録媒体に記録されたプログラムをコンピュータシステムに読み込ませ、実行することで実現してもよい。ここでいう「コンピュータシステム」とは、ＯＳや周辺機器等のハードウエアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００７８】
また、表示制御装置１０の各機能は、上記説明した機能を有する限り、複数の図示した機能ブロックを１の機能ブロックにまとめて実装してもよいし、図示した１の機能ブロックを複数の機能ブロックとして分割して実装してもよい。
【００７９】
以上、この発明の実施形態について図面を参照して詳述してきたが、具体的な構成はこの実施形態に限られるものではなく、この発明の要旨を逸脱しない範囲の設計等も含まれる。
【符号の説明】
【００８０】
１、２  表示装置
１０  表示制御装置
１１  表示状態変更部
１０１  画像入力部
１０２  画像処理部
１０３  画像出力部
１０４  接触判定部
１０５  階調判定部
１０６  画像輝度調整部
１０７  ＢＬ輝度調整部
１０８  注意表示部
１０９  管理者通知部
２０、２１  マルチディスプレイ
３０、３１  接触検知部
【図１】
2016206435.tif 000003
【図２】
2016206435.tif 000004
【図３】
2016206435.tif 000005
【図４】
2016206435.tif 000006
【図６】
2016206435.tif 000007
【図７】
2016206435.tif 000008
【図８】
2016206435.tif 000009
【図９】
2016206435.tif 000010
【図１０】
2016206435.tif 000011
【図１１】
2016206435.tif 000012
【図５】
2016206435.tif 000013